(57)【要約】      （修正有）【課題】アクセス手順及びデータ転送手順を構成するように動作可能なワイヤレスネットワークを提供する。【解決手段】モバイル発信及びモバイル着信データ送信において、ユーザ機器UEなどの通信デバイスは、データを送信及び受信するためにネットワークによって動的に構成される。UEが新しいネットワークに接続するとき、ネットワークは、UEのモビリティ及び/又はネットワークリソース割振りグラニュラリティを決定する。ネットワークの決定に少なくとも基づいて、UEは、比較的長い寿命を有するアクセスデータが複数のデータ送信に使用及び再利用される。アクセスデータは、時間期間の満了後にリフレッシュされる。リフレッシュ時間は、再利用可能なアクセスデータの予想される寿命に等しい。UE構成後、UEは、その構成に従ってモバイル発信及びモバイル着信データ送信を実行する。【選択図】図４
2019126088.tif 000002
【特許請求の範囲】
【請求項１】
データを送信するためのユーザ機器(UE)が行う方法であって、
ネットワークから受信された同期情報の少なくとも一部分に基づいてUEアクセスデータを要求するチャープを送信するステップと、
前記チャープに応答して、UEアクセスデータの少なくとも一部分を受信し、保存するステップと、
前記保存されたUEアクセスデータに関連付けられた所定の時間期間が満了するまで、前記保存されたUEアクセスデータの少なくとも一部分を利用して、2つ以上の個別のデータ伝送を送信するステップと
を含む、方法。
【請求項２】
送信されるデータのタイプに少なくとも基づいて前記同期情報において示される変調およびコーディング方式(MCS)を無視するステップを含む、請求項1に記載の方法。
【請求項３】
前記チャープがスモールデータ送信である場合には、前記同期情報において示されるMCSが、前記チャープの前記送信の間は無視される、請求項1に記載の方法。
【請求項４】
前記チャープがスモールデータ送信ではない場合には、前記チャープを送信するステップが、前記同期情報のMCSに少なくとも基づく、請求項1に記載の方法。
【請求項５】
前記チャープのキャリア周波数と、
前記チャープの変調方式と、
前記チャープの波形と
のうちの少なくとも1つが、前記チャープがスモールデータ送信であるかどうかを条件とする、請求項1に記載の方法。
【請求項６】
データを送信するためのユーザ機器(UE)であって、
ネットワークから受信された同期情報の少なくとも一部分に基づいてUEアクセスデータを要求するチャープを1つまたは複数のアンテナに送信する、プロセッサと、
前記チャープに応答して受信された前記UEアクセスデータの少なくとも一部分を保存する、メモリと
を備え、
前記プロセッサが、さらに、前記保存されたUEアクセスデータに関連付けられた所定の時間期間が満了するまで、前記保存されたUEアクセスデータの少なくとも一部分を利用して、2つ以上の個別のデータ伝送を送信する、UE。
【請求項７】
前記プロセッサが、さらに、送信されるデータのタイプに少なくとも基づいて前記同期情報において示される変調およびコーディング方式(MCS)を無視する、請求項6に記載のUE。
【請求項８】
前記チャープがスモールデータ送信である場合には、前記プロセッサが、前記チャープを送信する間は前記同期情報において示されるMCSを無視する、請求項6に記載のUE。
【請求項９】
前記チャープがスモールデータ送信ではない場合には、前記プロセッサが、前記同期情報のMCSに少なくとも基づいて前記チャープを送信する、請求項6に記載のUE。
【請求項１０】
前記チャープのキャリア周波数と、
前記チャープの変調方式と、
前記チャープの波形と
のうちの少なくとも1つが、前記チャープがスモールデータ送信であるかどうかを条件とする、請求項6に記載のUE。
【請求項１１】
プログラムコードを記録したコンピュータ可読記憶媒体であって、前記プログラムコードが、
ネットワークから受信された同期情報の少なくとも一部分に基づいてユーザ機器(UE)アクセスデータを要求するチャープを送信するためのコードと、
前記チャープに応答して、UEアクセスデータの少なくとも一部分を受信し、保存するためのコードと、
前記保存されたUEアクセスデータに関連付けられた所定の時間期間が満了するまで、前記保存されたUEアクセスデータの少なくとも一部分を利用して、2つ以上の個別のデータ伝送を送信するためのコードと
を含む、コンピュータ可読記憶媒体。
【請求項１２】
前記プログラムコードが、
送信されるデータのタイプに少なくとも基づいて前記同期情報において示される変調およびコーディング方式(MCS)を無視するためのコードをさらに含む、請求項11に記載のコンピュータ可読記憶媒体。
【請求項１３】
前記チャープがスモールデータ送信である場合には、前記同期情報において示されるMCSが、前記チャープの前記送信の間は無視される、請求項11に記載のコンピュータ可読記憶媒体。
【請求項１４】
前記チャープがスモールデータ送信ではない場合には、前記チャープを送信することが、前記同期情報のMCSに少なくとも基づく、請求項11に記載のコンピュータ可読記憶媒体。
【請求項１５】
前記チャープのキャリア周波数が、前記チャープがスモールデータ送信であるかどうかを条件とする、請求項11に記載のコンピュータ可読記憶媒体。
【請求項１６】
前記チャープの変調方式が、前記チャープがスモールデータ送信であるかどうかを条件とする、請求項11に記載のコンピュータ可読記憶媒体。
【請求項１７】
前記チャープの波形が、前記チャープがスモールデータ送信であるかどうかを条件とする、請求項11に記載のコンピュータ可読記憶媒体。
【請求項１８】
データを送信するためのユーザ機器(UE)であって、
事前構成されたUEアクセスデータを保存する、メモリと、
前記事前構成されたUEアクセスデータの少なくとも一部分を使用して、2つ以上の個別のデータ伝送を送信する、プロセッサと
を備える、UE。
【請求項１９】
前記プロセッサが、前記事前構成されたUEアクセスデータに少なくとも基づいてダウンリンク伝送を受信し、復号する、請求項18に記載のUE。
【請求項２０】
前記ダウンリンク伝送を受信する前に、前記プロセッサが、前記ダウンリンク伝送に関して前記UEに通知するキープアライブ伝送を受信する、請求項19に記載のUE。
【請求項２１】
前記プロセッサが、ネットワークから同期情報を受信し、前記同期情報の一部分および前記事前構成されたUEアクセスデータの一部分に少なくとも基づいて前記個別のデータ伝送のうちの少なくとも1つを送信する、請求項18に記載のUE。
【請求項２２】
前記プロセッサが、さらに、前記個別のデータ伝送のうちの前記少なくとも1つにおいて送信されるデータのタイプに少なくとも基づいて前記同期情報において示される変調およびコーディング方式(MCS)を無視する、請求項21に記載のUE。
【請求項２３】
前記個別のデータ伝送のうちの前記少なくとも1つがチャープであり、前記チャープがスモールデータ送信である場合には、前記プロセッサが、前記チャープを送信する間は前記同期情報において示されるMCSを無視する、請求項21に記載のUE。
【請求項２４】
前記個別のデータ伝送のうちの前記少なくとも1つがスモールデータ送信ではない場合には、前記プロセッサが、前記同期情報のMCSに少なくとも基づいて前記個別のデータ伝送のうちの前記少なくとも1つを送信する、請求項21に記載のUE。
【請求項２５】
前記個別のデータ伝送のうちの前記少なくとも1つがチャープであり、
前記チャープのキャリア周波数と、
前記チャープの変調方式と、
前記チャープの波形と
のうちの少なくとも1つが、前記チャープがスモールデータ送信であるかどうかを条件とする、請求項21に記載のUE。
【発明の詳細な説明】
【技術分野】
【０００１】
関連出願の相互参照
本出願は、2015年11月30日に出願された「SYSTEMS AND METHODS FOR PERFORMING NETWORK CONFIGURABLE ACCESS AND DATA TRANSFER PROCEDURES」と題する米国仮特許出願第62/261,080号、および2016年4月1日に出願された「SYSTEMS AND METHODS FOR PERFORMING NETWORK CONFIGURABLE ACCESS AND DATA TRANSFER PROCEDURES」と題する米国非仮特許出願第15/089,412号の利益および優先権を主張し、これらは両方とも、その全体が参照により本明細書に明確に組み込まれる。
【０００２】
本開示の態様は、一般にワイヤレス通信システムに関し、より詳細には、アクセス手順およびデータ転送手順を構成するように動作可能なワイヤレスネットワークに関する。
【背景技術】
【０００３】
ワイヤレス通信ネットワークは、いくつかのユーザ機器(UE)のための通信をサポートすることができる、いくつかの基地局またはノードBを含み得る。UEは、ダウンリンク(DL)およびアップリンク(UL)を介して基地局と通信し得る。ダウンリンク(または順方向リンク)は、基地局からUEへの通信リンクを指し、アップリンク(または逆方向リンク)は、UEから基地局への通信リンクを指す。
【０００４】
基地局は、ダウンリンク上でUEにデータおよび制御情報を送信することができ、かつ/または、アップリンク上でUEからデータおよび制御情報を受信することができる。ダウンリンク上で、基地局からの送信は、ネイバー基地局からの、または他のワイヤレス無線周波数(RF)送信機からの送信に起因する干渉を受ける場合がある。アップリンク上で、UEからの送信は、ネイバー基地局と通信する他のUEのアップリンク送信からの、または他のワイヤレスRF送信機からの干渉を受ける場合がある。この干渉は、ダウンリンクとアップリンクの両方において性能を低下させる場合がある。
【０００５】
モバイルブロードバンドアクセスに対する増大する需要とともに、eNBとUEとの間の通信が増加している。従来から、常時接続はネットワーク帯域幅およびUEのバッテリー寿命を浪費するので、UEはeNBと常時接続されていない。したがって、切断されたUEがネットワークにデータを送信するか、またはネットワークからデータを受信することを所望するたびに、所望のデータが送信される前にUEとeNBとの間の双方向接続をセットアップするために、一連の特定のステップおよびeNBとUEとの間の通信が実行される。このプロセスは、従来からランダムアクセス手順(RAP:Random Access Procedure)と呼ばれている。
【０００６】
RAPは、接続が確立され、データが送信される前に、多数のセットアップステップを伴う。従来から、モバイル発信(MO)データ送信ステップのすべては、各MO送信の前に実行され、あらゆるモバイル着信(MT)送信ステップは、あらゆるMT送信の前に実行される。一般的には、1時間にわたってセットアップステップのすべてが複数回繰り返され、かなりの量のネットワーク帯域幅およびUEのバッテリー寿命を拘束する。さらに、これらのステップが送信ごとに繰り返されるので、セットアップステップはデータレイテンシを増加させる。
【発明の概要】
【課題を解決するための手段】
【０００７】
以下では、説明する技術の基本的理解を与えるために本開示のいくつかの態様を要約する。この概要は、本開示のすべての企図された特徴の広範な概観ではなく、本開示のすべての態様の主要または重要な要素を識別するものでもなく、本開示のいずれかまたはすべての態様の範囲を定めるものでもない。その唯一の目的は、後で提示するより詳細な説明の前置きとして、本開示の1つまたは複数の態様のいくつかの概念を概要の形で提示することである。
【０００８】
本開示の一態様では、データを送信するための方法は、UEアクセスデータを受信し、UEアクセスデータの少なくとも一部分を保存するステップを備える。方法は、保存することに続いて、データが転送されるべきであると決定するステップと、以前に保存されたUEアクセスデータの少なくとも一部分を利用して、2つ以上のデータ送信を送信するステップであって、2つ以上のデータ送信が異なる時間に送信される、ステップとをさらに備え得る。
【０００９】
本開示の追加の態様では、データを受信するための方法は、ネットワークがデータを送信することを所望すると決定するステップと、データを受信するステップと、以前に保存されたUEアクセスデータを利用して、受信されたデータを復号するステップとを備える。方法は、所定の時間期間が満了したとの決定に基づいて、以前に保存されたアクセスデータをリフレッシュするステップをさらに備え得る。
【００１０】
本開示の追加の態様では、UEを構成する方法は、UEがモバイルであるかどうかを決定するステップと、UEにサービスするネットワークのリソース割振りグラニュラリティを決定するステップと、モビリティ決定およびリソース割振りグラニュラリティ決定に少なくとも基づいて、UEのデータを送信する方法を構成するステップとを備える。UEが非モバイルUEであるとモビリティ決定が決定する実施形態では、方法は、所定の時間期間をUEアクセスデータの予想される寿命以下になるように設定するステップと、以下のステップ、すなわち、UEアクセスデータを受信するステップ、UEアクセスデータの少なくとも一部分を保存するステップ、保存することに続いて、データが転送されるべきであると決定するステップ、および以前に保存されたUEアクセスデータの少なくとも一部分を利用して、2つ以上のデータ送信を送信するステップに従って、データを送信するようにUEを構成するステップとをさらに備え得る。
【００１１】
本開示の追加の態様では、データを送信するためのシステムは、UEアクセスデータを受信するための手段と、UEアクセスデータの少なくとも一部分を保存するための手段と、保存することに続いて、データが転送されるべきであると決定するための手段と、以前に保存されたUEアクセスデータの少なくとも一部分を利用して、2つ以上のデータ送信を送信するための手段であって、2つ以上のデータ送信が異なる時間に送信される、手段とを備える。
【００１２】
本開示の追加の態様では、データを受信するためのシステムは、ネットワークがデータを送信することを所望すると決定するための手段と、データを受信するための手段と、以前に保存されたUEアクセスデータを利用して、受信されたデータを復号するための手段と、所定の時間期間が満了したとの決定に基づいて、以前に保存されたアクセスデータをリフレッシュするための手段とを備える。
【００１３】
本開示の追加の態様では、UEの送信手順を構成するためのシステムは、UEがモバイルであるかどうかを決定するための手段と、UEにサービスするネットワークのリソース割振りグラニュラリティを決定するための手段と、モビリティ決定およびリソース割振りグラニュラリティ決定に少なくとも基づいて、UEの送信手順を構成するための手段とを備える。UEが非モバイルUEであるとモビリティ決定が決定する実施形態では、システムは、所定の時間期間をUEアクセスデータの予想される寿命以下になるように設定するための手段と、以下のステップ、すなわち、UEアクセスデータを受信するステップ、UEアクセスデータの少なくとも一部分を保存するステップ、保存することに続いて、データが転送されるべきであると決定するステップ、および以前に保存されたUEアクセスデータの少なくとも一部分を利用して、2つ以上のデータ送信を送信するステップに従って、データを送信するようにUEを構成するための手段とをさらに備え得る。
【００１４】
本開示の追加の態様では、データを送信するためのシステムは、UEアクセスデータを受信し、UEアクセスデータの少なくとも一部分を保存するように動作可能なUEを備える。保存することに続いて、UEは、データが転送されるべきであると決定することと、以前に保存されたUEアクセスデータの少なくとも一部分を利用して、2つ以上のデータ送信を送信することであって、2つ以上のデータ送信が異なる時間に送信される、送信することとを行うようにさらに動作可能である。
【００１５】
本開示の追加の態様では、データを受信するためのシステムは、ネットワークがデータを送信することを所望すると決定するように動作可能であり、データを受信するようにさらに動作可能なUEを備え、UEは、以前に保存されたUEアクセスデータを利用して、受信されたデータを復号する。さらに、UEは、所定の時間期間が満了したとの決定に基づいて、以前に保存されたアクセスデータをリフレッシュする。
【００１６】
本開示の追加の態様では、UEの送信手順を構成するためのシステムは、UEがモバイルであるかどうかを決定し、UEにサービスするネットワークのリソース割振りグラニュラリティを決定するように動作可能なネットワークコンピュータを備え、UEの送信手順は、モビリティ決定およびリソース割振りグラニュラリティ決定に少なくとも基づいて構成される。UEが非モバイルUEであるとモビリティ決定が決定する実施形態では、ネットワークコンピュータは、所定の時間期間をUEアクセスデータの予想される寿命以下になるように設定し、以下のステップ、すなわち、UEアクセスデータを受信するステップ、UEアクセスデータの少なくとも一部分を保存するステップ、保存することに続いて、データが転送されるべきであると決定するステップ、および以前に保存されたUEアクセスデータの少なくとも一部分を利用して、2つ以上のデータ送信を送信するステップに従って、データを送信するようにUEを構成するようにさらに構成される。
【００１７】
本開示の追加の態様では、プログラムコードを記録した非一時的コンピュータ可読媒体であって、プログラムコードは、UEアクセスデータを受信することをUEに行わせるためのプログラムコードと、UEアクセスデータの少なくとも一部分を保存することをUEに行わせるためのプログラムコードと、保存することに続いて、データが転送されるべきであると決定することをUEに行わせるためのプログラムコードと、以前に保存されたUEアクセスデータの少なくとも一部分を利用して、2つ以上のデータ送信を送信することをUEに行わせるためのプログラムコードであって、2つ以上のデータ送信が異なる時間に送信される、プログラムコードとを備える。
【００１８】
本開示の追加の態様では、プログラムコードを記録した非一時的コンピュータ可読媒体であって、プログラムコードは、ネットワークがデータを送信することを所望すると決定することをUEに行わせるためのプログラムコードと、データを受信することをUEに行わせるためのプログラムコードと、以前に保存されたUEアクセスデータを利用して、受信されたデータを復号することをUEに行わせるためのプログラムコードであって、所定の時間期間が満了すると、以前に保存されたアクセスデータがリフレッシュされる、プログラムコードとを備える。
【００１９】
本開示の追加の態様では、プログラムコードを記録した非一時的コンピュータ可読媒体であって、プログラムコードは、UEがモバイルであるかどうかを決定することをネットワークコンピュータに行わせるためのプログラムコードと、UEにサービスするネットワークのリソース割振りグラニュラリティを決定することをネットワークコンピュータに行わせるためのプログラムコードと、モビリティ決定およびリソース割振りグラニュラリティ決定に少なくとも基づいて、UEの送信手順を構成することをネットワークコンピュータに行わせるためのプログラムコードとを備える。
【００２０】
上記では、以下の発明を実施するための形態がより良く理解され得るように、本開示による例の特徴および技術的利点についてかなり広く概説した。追加の特徴および利点について、以下で説明する。開示する概念および具体的な例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、添付の図とともに検討されると、関連する利点とともに以下の説明からより良く理解されよう。図の各々は、例示および説明のために提供されるものであり、特許請求の範囲の限定の定義として提供されるものではない。
【００２１】
添付の図とともに本発明の特定の例示的な実施形態の以下の説明を検討すれば、本発明の他の態様、特徴、および実施形態が当業者に明らかとなろう。本発明の特徴について、以下のいくつかの実施形態および図に対して説明する場合があるが、本発明のすべての実施形態は、本明細書で説明する有利な特徴のうちの1つまたは複数を含むことができる。言い換えれば、1つまたは複数の実施形態について、いくつかの有利な特徴を有するものとして説明する場合があるが、そのような特徴のうちの1つまたは複数はまた、本明細書で説明する本発明の様々な実施形態に従って使用され得る。同様に、例示的な実施形態について、デバイス、システム、または方法の実施形態として以下で説明する場合があるが、そのような例示的な実施形態は、様々なデバイス、システム、および方法において実装され得ることを理解されたい。
【００２２】
本開示の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、同様の構成要素を区別する第2のラベルとを続けることによって区別され得る。第1の参照ラベルのみが本明細書において使用される場合、その説明は、第2の参照ラベルにかかわらず、同じ第1の参照ラベルを有する同様の構成要素のいずれにも適用可能である。
【図面の簡単な説明】
【００２３】
【図１】いくつかの実施形態によるワイヤレス通信システムの詳細を示すブロック図である。
【図２】いくつかの実施形態に従って構成された基地局/eNBおよびUEの設計を概念的に示すブロック図である。
【図３】いくつかの実施形態による、イベント駆動型アクセスおよびデータ送信手順の例示的な方法を示す流れ図である。
【図４】いくつかの実施形態による、ネットワーク構成可能なアクセスおよびデータ送信手順の例示的な方法を示す流れ図である。
【図５】いくつかの実施形態による、ネットワーク構成可能なアクセスおよびデータ送信手順の別の例を示す流れ図である。
【図６】いくつかの実施形態による、UEのためのアクセスおよびデータ送信手順を構成する方法を示す流れ図である。
【発明を実施するための形態】
【００２４】
添付の図面および付録に関して以下に記載する詳細な説明は、様々な構成を説明するものであり、本開示の範囲を限定するものではない。むしろ、詳細な説明は、本発明の主題の完全な理解を与えるための具体的な詳細を含む。これらの詳細な説明がすべての場合に必要であるとは限らないこと、および、場合によっては、提示を明快にするために、よく知られている構造および構成要素がブロック図の形態で示されることは当業者に明らかであろう。
【００２５】
本開示は、一般に、ワイヤレス通信ネットワークとも呼ばれる、2つ以上のワイヤレス通信システムの間の許可された共有アクセスを提供すること、またはそれに参加することに関する。様々な実施形態では、技法および装置は、符号分割多元接続(CDMA)ネットワーク、時分割多元接続(TDMA)ネットワーク、周波数分割多元接続(FDMA)ネットワーク、直交FDMA(OFDMA)ネットワーク、シングルキャリアFDMA(SC-FDMA)ネットワーク、LTEネットワーク、GSM(登録商標)ネットワーク、ならびに他の通信ネットワークなどのワイヤレス通信ネットワークに使用され得る。本明細書で説明する「ネットワーク」および「システム」という用語は、互換的に使用され得る。
【００２６】
CDMAネットワークは、ユニバーサル地上波無線アクセス(UTRA)、cdma2000などの無線技術を実装し得る。UTRAは、広帯域CDMA(W-CDMA)および低チップレート(LCR)を含む。CDMA2000は、IS-2000規格、IS-95規格、およびIS-856規格をカバーする。
【００２７】
TDMAネットワークは、モバイル通信用グローバルシステム(GSM(登録商標))などの無線技術を実装し得る。3GPPは、GERANとしても示される、GSM(登録商標) EDGE(GSM(登録商標)進化型高速データレート)無線アクセスネットワーク(RAN)のための規格を定義する。GERANは、基地局(たとえば、AterインターフェースおよびAbisインターフェース)と基地局コントローラ(Aインターフェースなど)とを結合するネットワークとともに、GSM(登録商標)/EDGEの無線構成要素である。無線アクセスネットワークは、GSM(登録商標)ネットワークの構成要素を表し、GSM(登録商標)ネットワークを通じて、電話呼およびパケットデータが、公衆交換電話網(PSTN)およびインターネットと、ユーザ端末またはユーザ機器(UE)としても知られる加入者ハンドセットとの間でルーティングされる。モバイルフォン事業者のネットワークは、UMTS/GSM(登録商標)ネットワークの場合にUTRANと結合され得る、1つまたは複数のGERANを含む場合がある。事業者ネットワークは、1つもしくは複数のLTEネットワークおよび/または1つもしくは複数の他のネットワークを含む場合もある。様々な異なるネットワークタイプは、異なる無線アクセス技術(RAT)および無線アクセスネットワーク(RAN)を使用し得る。
【００２８】
OFDMAネットワークは、発展型UTRA(E-UTRA)、IEEE802.11、IEEE802.16、IEEE802.20、フラッシュOFDMなどの無線技術を実装し得る。UTRA、E-UTRA、およびGSM(登録商標)は、ユニバーサルモバイルテレコミュニケーションシステム(UMTS)の一部である。特に、ロングタームエボリューション(LTE)は、E-UTRAを使用するUMTSのリリースである。UTRA、E-UTRA、GSM(登録商標)、UMTSおよびLTEは、「第3世代パートナーシッププロジェクト」(3GPP)という名称の組織から提供された文書に記載されており、cdma2000は、「第3世代パートナーシッププロジェクト2」(3GPP2)という名称の組織からの文書に記載されている。これらの様々な無線技術および規格は、知られているか、または開発中である。たとえば、第3世代パートナーシッププロジェクト(3GPP)は、世界的に適用可能な第3世代(3G)モバイルフォン仕様を定義することを目的とする電気通信協会のグループ間の共同作業である。3GPPロングタームエボリューション(LTE)は、ユニバーサルモバイルテレコミュニケーションシステム(UMTS)モバイルフォン規格を改善することを目的とする3GPPプロジェクトである。3GPPは、次世代のモバイルネットワーク、モバイルシステム、およびモバイルデバイスのための仕様を定義し得る。明快にするために、装置および技法のいくつかの態様について、LTE実装形態に関して、またはLTEを中心として以下で説明する場合があり、以下の説明の部分においてLTE用語が例示的な例として使用される場合があるが、説明はLTE適用例に限定されるものではない。実際には、本開示は、異なる無線アクセス技術または無線エアインターフェースを使用するネットワーク間のワイヤレススペクトルへの共有アクセスに関係する。
【００２９】
キャリアグレードWiFiと互換性があり、無認可スペクトルを用いるLTE/LTE-AをWiFiの代替物にすることができる、無認可スペクトルを含むLTE/LTE-Aに基づく新しいキャリアタイプも提案されている。LTE/LTE-Aは、無認可スペクトルにおいて動作するとき、LTEの概念を活用することができ、無認可スペクトルにおける効率的な動作を実現し、規制要件を満たすために、ネットワークまたはネットワークデバイスの物理レイヤ(PHY)および媒体アクセス制御(MAC)の態様に何らかの変更を導入することができる。使用される無認可スペクトルは、たとえば、最低で数百メガヘルツ(MHz)から最高で数十ギガヘルツ(GHz)まで及ぶ場合がある。動作時、そのようなLTE/LTE-Aネットワークは、ローディングおよび利用可能性に応じて認可スペクトルまたは無認可スペクトルの任意の組合せを用いて動作することができる。したがって、本明細書で説明するシステム、装置および方法が他の通信システムおよび適用例に適用され得ることは、当業者には明らかであり得る。
【００３０】
システム設計は、ビームフォーミングおよび他の機能を容易にするために、ダウンリンクおよびアップリンクのための様々な時間周波数基準信号をサポートすることができる。基準信号は、既知のデータに基づいて生成された信号であり、パイロット、プリアンブル、トレーニング信号、サウンディング信号などと呼ばれることもある。基準信号は、受信機によって、チャネル推定、コヒーレント復調、チャネル品質測定、信号強度測定などの様々な目的で使用され得る。複数のアンテナを使用するMIMOシステムは、一般に、アンテナ間の基準信号の送信の協調を実現するが、LTEシステムは、一般に、複数の基地局またはeNBからの基準信号の送信の協調を実現しない。
【００３１】
いくつかの実装形態では、システムは時分割複信(TDD)を利用し得る。TDDの場合、ダウンリンクおよびアップリンクは、同じ周波数スペクトルまたはチャネルを共有し、ダウンリンク送信およびアップリンク送信は、同じ周波数スペクトル上で送られる。したがって、ダウンリンクチャネル応答は、アップリンクチャネル応答と相関し得る。相反性により、アップリンクを介して送られた送信に基づいてダウンリンクチャネルを推定することが可能になり得る。これらのアップリンク送信は、(復調後に基準シンボルとして使用され得る)基準信号またはアップリンク制御チャネルであり得る。アップリンク送信により、複数のアンテナを介した空間選択的チャネルの推定が可能になり得る。
【００３２】
LTE実装形態では、直交周波数分割多重(OFDM)は、ダウンリンク(すなわち、基地局、アクセスポイントまたはeNodeB(eNB)からユーザ端末またはUE)に使用される。OFDMの使用は、スペクトルの柔軟性についてのLTE要件を満たし、高いピークレートで極めて広いキャリアのためのコスト効率の高いソリューションを可能にし、定着した技術である。たとえば、OFDMは、IEEE802.11a/g、802.16、欧州電気通信標準化機構(ETSI)によって標準化された高性能無線LAN-2(HIPERLAN-2、LANはローカルエリアネットワークを表す)、ETSIの合同技術委員会によって公開されたデジタルビデオブロードキャスティング(DVB)、および他の規格などの規格において使用される。
【００３３】
(簡潔にするために、本明細書ではリソースブロックまたは「RB」としても示される)時間周波数物理リソースブロックは、OFDMシステムにおいて、トランスポートデータに割り当てられるトランスポートキャリア(たとえば、サブキャリア)または間隔のグループとして定義され得る。RBは、時間および周波数の期間にわたって定義される。リソースブロックは、スロット内の時間および周波数のインデックスによって定義され得る、(簡潔にするために、本明細書ではリソース要素または「RE」としても示される)時間周波数リソース要素からなる。LTE RBおよびREのさらなる詳細は、たとえば、3GPP TS 36.211などの3GPP仕様に記載されている。
【００３４】
UMTS LTEは、20MHzから1.4MHzに至るまでのスケーラブルなキャリア帯域幅をサポートする。LTEでは、RBは、サブキャリア帯域幅が15kHzであるときは12個のサブキャリア、またはサブキャリア帯域幅が7.5kHzであるときは24個のサブキャリアとして定義される。例示的な実装形態では、時間領域内には、10msの長さであり、それぞれ1ミリ秒(ms)の10個のサブフレームで構成される、定義された無線フレームがある。あらゆるサブフレームは、各スロットが0.5msである、2つのスロットで構成される。この場合の周波数領域におけるサブキャリア間隔は、15kHzである。(スロットごとに)これらのサブキャリアのうちの12個が一緒にRBを構成し、したがって、この実装形態では、1つのリソースブロックは180kHzである。6つのリソースブロックは1.4MHzのキャリアに適合し、100個のリソースブロックは20MHzのキャリアに適合する。
【００３５】
本開示の様々な他の態様および特徴について、以下でさらに説明する。本明細書の教示は多種多様な形態で具現化され得ること、および、本明細書で開示する任意の特定の構造、機能、または両方は代表的なものにすぎず、限定するものではないことは明らかであろう。本明細書の教示に基づいて、当業者は、本明細書で開示する一態様が任意の他の態様とは無関係に実装され得ること、および、これらの態様のうちの2つ以上が様々な方法で組み合わされ得ることを諒解されよう。たとえば、本明細書に記載の任意の数の態様を使用して、装置が実装されてもよく、または方法が実践されてもよい。加えて、本明細書に記載の態様のうちの1つまたは複数に加えて、またはそれ以外の他の構造、機能、または構造および機能を使用して、そのような装置が実装されてもよく、またはそのような方法が実践されてもよい。たとえば、方法は、システム、デバイス、装置の一部として、および/または、プロセッサもしくはコンピュータ上で実行するためのコンピュータ可読媒体上に記憶された命令として実装されてもよい。さらに、一態様は、請求項の少なくとも1つの要素を含み得る。
【００３６】
図1は、LTE-Aネットワークであり得る(他のタイプのネットワークも利用され得る)、通信のためのワイヤレスネットワーク100を示す。ワイヤレスネットワーク100は、いくつかの発展型ノードB(eNB)105と、他のネットワークエンティティとを含む。eNBは、UEと通信する局であってもよく、基地局、ノードB、アクセスポイントなどと呼ばれることもある。各eNB105は、特定の地理的エリアに通信カバレージを提供することができる。「セル」という用語は、この用語が使用される文脈に応じて、カバレージエリアにサービスするeNBおよび/またはeNBサブシステムのこの特定の地理的カバレージエリアを指すことがある。
【００３７】
eNBは、マクロセル、またはピコセルもしくはフェムトセルなどのスモールセル、および/または他のタイプのセルに通信カバレージを提供することができる。マクロセルは、一般に、比較的大きい地理的エリア(たとえば、半径数キロメートル)をカバーし、ネットワークプロバイダのサービスに加入しているUEによる無制限アクセスを可能にすることができる。ピコセルなどのスモールセルは、一般に、比較的小さい地理的エリアをカバーし、ネットワークプロバイダのサービスに加入しているUEによる無制限アクセスを可能にすることができる。フェムトセルなどのスモールセルも、一般に、比較的小さい地理的エリア(たとえば、自宅)をカバーし、無制限アクセスに加えて、フェムトセルとの関連付けを有するUE(たとえば、限定加入者グループ(CSG)内のUE、自宅内のユーザのためのUEなど)による制限付きアクセスも提供することができる。マクロセルのためのeNBは、マクロeNBと呼ばれることがある。スモールセルのためのeNBは、スモールセルeNB、ピコeNB、フェムトeNBまたはホームeNBと呼ばれることがある。図1に示す例では、eNB105a、105bおよび105cは、それぞれ、マクロセル110a、110bおよび110cのためのマクロeNBである。eNB105x、105y、および105zは、それぞれ、スモールセル110x、110y、および110zにサービスを提供するピコeNBまたはフェムトeNBを含み得る、スモールセルeNBである。eNBは、1つまたは複数(たとえば、2つ、3つ、4つなど)のセルをサポートし得る。
【００３８】
ワイヤレスネットワーク100は、同期動作または非同期動作をサポートし得る。同期動作の場合、eNBは、同様のフレームタイミングを有する場合があり、異なるeNBからの送信は、時間的にほぼ整合される場合がある。同期ネットワークはセルをゾーンに編成することができ、ゾーンは複数のセルを含む。ワイヤレスネットワークのゾーンは、ゾーン固有のリソースを割り振ることができ、その結果、UEは、あるセルから別のセルに移動するとき、同じゾーン固有のリソースを使用してゾーン全体にわたって自由に動くことができる。非同期動作の場合、eNBは、異なるフレームタイミングを有する場合があり、異なるeNBからの送信は、時間的に整合されない場合がある。
【００３９】
UE115は、ワイヤレスネットワーク100全体にわたって分散され、各UEは固定またはモバイルであり得る。UEは、端末、移動局、加入者ユニット、局などと呼ばれることもある。UEは、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局、時計などであり得る。モノのインターネット(IoT)に関して、UEは、アプライアンス、サーモスタット、水道メーター、電気メーター、ガスメーター、スプリンクラーシステム、冷蔵庫、温水ヒーター、オーブン、車、ナビゲーションシステム、ペースメーカー、埋込型医療デバイス、ロケーショントラッカー、自転車コンピュータ、エンターテインメントデバイス、テレビジョン、モニタ、車両構成要素、自動販売機、医療デバイスなどであり得るIoT UEと呼ばれることがある。UEは、マクロeNB、ピコeNB、フェムトeNB、リレーなどと通信することが可能であり得る。図1では、稲妻(たとえば、通信リンク125)は、UEとサービングeNB(サービングeNBは、ダウンリンクおよび/またはアップリンク上でUEにサービスするように指定されたeNBである)との間の所望の送信、あるいはeNB間の所望の送信を示す。
【００４０】
LTE/LTE-Aは、ダウンリンク上で直交周波数分割多重(OFDM)を利用し、アップリンク上でシングルキャリア周波数分割多重(SC-FDM)を利用する。OFDMおよびSC-FDMは、システム帯域幅を、一般にトーン、ビンなどとも呼ばれる複数(K個)の直交サブキャリアに区分する。各サブキャリアは、データで変調され得る。一般に、変調シンボルは、OFDMでは周波数領域において送られ、SC-FDMでは時間領域において送られる。隣接するサブキャリア間の間隔は固定される場合があり、サブキャリアの総数(K)は、システム帯域幅に依存し得る。たとえば、Kは、1.4、3、5、10、15、または20メガヘルツ(MHz)の対応するシステム帯域幅に対して、それぞれ、72、180、300、600、900、および1200に等しくてもよい。システム帯域幅は、サブバンドに区分される場合もある。たとえば、サブバンドは1.08MHzをカバーすることができ、1.4、3、5、10、15、または20MHzの対応するシステム帯域幅に対して、それぞれ、1、2、4、8または16個のサブバンドが存在し得る。図1に示すデバイスは、本明細書で開示する技法および動作を実行するように動作可能である。
【００４１】
上記で説明したように、モバイルブロードバンドアクセスに対する増大する需要は、eNBとUEとの間の通信の増加をもたらしている。従来から、モバイル発信(MO)データ送信ステップのすべては、各MO送信の前に実行され、あらゆるモバイル着信(MT)送信ステップは、あらゆるMT送信の前に実行される。一般的には、1時間にわたってセットアップステップのすべてが複数回繰り返され、かなりの量のネットワーク帯域幅およびUEのバッテリー寿命を拘束する。さらに、これらのステップが送信ごとに繰り返されるので、セットアップステップはデータレイテンシを増加させる。したがって、MO通信および/またはMT通信の前の上述のステップおよび通信の低減を可能にするシステムおよび方法を有することが望ましいであろう。そうは言っても、送信されるデータのタイプ、UEのモビリティ、および/またはUEのステータスにより、上述のステップのほとんどまたはすべてを実行することが適切であり得るときがあり得る。したがって、状況を考慮してどのステップおよび通信が適切であるかを決定し、適切な場合に低減されたセットのステップおよび通信を実行し、適切な場合にロバストなセットのステップおよび通信を実行するようにUEを構成するように動作可能なシステムおよび方法を有することがさらに望ましいであろう。
【００４２】
図2は、図1の基地局/eNBのうちの1つおよびUEのうちの1つであり得る、基地局/eNB105およびUE115の設計のブロック図を示す。制限付き関連付けシナリオの場合、eNB105は図1のスモールセルeNB105zであってもよく、UE115はUE115zであってもよく、UE115zは、スモールセルeNB105zにアクセスするために、スモールセルeNB105zに対するアクセス可能UEのリストに含まれることになろう。eNB105はまた、何らかの他のタイプの基地局であり得る。eNB105は、アンテナ234a〜234tを備えてもよく、UE115は、アンテナ252a〜252rを備えてもよい。
【００４３】
eNB105において、送信プロセッサ220は、データソース212からデータを受信し、コントローラ/プロセッサ240から制御情報を受信することができる。制御情報は、PBCH、PCFICH、PHICH、PDCCHなどについてのものであり得る。データは、PDSCHなどについてのものであり得る。送信プロセッサ220は、データおよび制御情報を処理(たとえば、符号化およびシンボルマッピング)して、それぞれ、データシンボルおよび制御シンボルを取得することができる。送信プロセッサ220はまた、たとえば、PSS、SSS、およびセル固有基準信号のための基準シンボルを生成することができる。送信(TX)多入力多出力(MIMO)プロセッサ230は、該当する場合、データシンボル、制御シンボル、および/または基準シンボルに対して空間処理(たとえば、プリコーディング)を実行することができ、出力シンボルストリームを変調器(MOD)232a〜232tを供給することができる。各変調器232は、(たとえば、OFDM用などに)それぞれの出力シンボルストリームを処理して、出力サンプルストリームを取得することができる。各変調器232は、出力サンプルストリームをさらに処理(たとえば、アナログに変換、増幅、フィルタリング、およびアップコンバート)して、ダウンリンク信号を取得することができる。変調器232a〜232tからのダウンリンク信号は、それぞれ、アンテナ234a〜234tを介して送信され得る。
【００４４】
UE115において、アンテナ252a〜252rは、eNB105からダウンリンク信号を受信することができ、受信信号を、それぞれ復調器(DEMOD)254a〜254rに供給することができる。各復調器254は、それぞれの受信信号を調整(たとえば、フィルタリング、増幅、ダウンコンバート、およびデジタル化)して、入力サンプルを取得することができる。各復調器254は、(たとえば、OFDM用などに)入力サンプルをさらに処理して、受信シンボルを取得することができる。MIMO検出器256は、すべての復調器254a〜254rから受信シンボルを取得し、該当する場合は受信シンボルに対してMIMO検出を実行し、検出されたシンボルを供給することができる。受信プロセッサ258は、検出されたシンボルを処理(たとえば、復調、デインターリーブ、および復号)し、UE115のための復号されたデータをデータシンク260に供給し、復号された制御情報をコントローラ/プロセッサ280に供給することができる。
【００４５】
アップリンク上で、UE115において、送信プロセッサ264は、データソース262から(たとえば、PUSCH用の)データを受信および処理し、コントローラ/プロセッサ280から(たとえば、PUCCH用の)制御情報を受信および処理することができる。送信プロセッサ264はまた、基準信号のための基準シンボルを生成することができる。送信プロセッサ264からのシンボルは、該当する場合はTX MIMOプロセッサ266によってプリコーディングされ、(たとえば、SC-FDM用などに)変調器254a〜254rによってさらに処理され、eNB105に送信され得る。eNB105において、UE115からのアップリンク信号は、アンテナ234によって受信され、復調器232によって処理され、該当する場合はMIMO検出器236によって検出され、受信プロセッサ238によってさらに処理されて、UE115によって送られた復号されたデータおよび制御情報を取得することができる。受信プロセッサ238は、復号されたデータをデータシンク239に供給し、復号された制御情報をコントローラ/プロセッサ240に供給することができる。
【００４６】
コントローラ/プロセッサ240および280は、それぞれ、eNB105およびUE115における動作を指示することができる。eNB105におけるコントローラ/プロセッサ240ならびに/または他のプロセッサおよびモジュールは、本明細書で説明する技法のための様々なプロセスを実行するか、またはそれらの実行を指示することができる。UE115におけるコントローラ/プロセッサ280ならびに/または他のプロセッサおよびモジュールも、図3〜図6に示す機能ブロック、および/または本明細書で説明する技法のための他のプロセスを実行するか、またはそれらの実行を指示することができる。メモリ242および282は、それぞれ、eNB105およびUE115のためのデータおよびプログラムコードを記憶し得る。スケジューラ244は、ダウンリンクおよび/またはアップリンク上でのデータ送信のためにUEをスケジュールし得る。
【００４７】
図3は、イベント駆動型アクセスおよびデータ送信手順300である方法300の例示的な流れ図を示す。方法300では、イベントは、イベント駆動型アクセスおよびデータ送信手順300のすべてのステップの実行をトリガする。例示的なトリガリングイベントはスケジュールされた読取り報告であり、UEは、読取値(たとえば、温度読取値)を取り、読取値をネットワークに報告するようにスケジュールされる。読取値を取ると、UEは、モバイル発信(MO)データをネットワークに送信するために方法300を実行する。別の例示的なトリガリングイベントは、データ送信が間もなくUEに送信されることをUEに警告するeNBからのキープアライブ(KA:Keep Alive)メッセージまたはページングメッセージの受信である。KAは、たとえば、eNBがモバイル着信(MT)データをUEに送信する準備をしているので、UEにウェイクアップし、eNBとの接続をセットアップするよう伝えるために使用される。実施形態では、KAは1ビットくらい小さくてもよい。
【００４８】
301において、eNBが、限定はしないが、1次同期信号(PSS)、2次同期信号(SSS)、ダウンリンク基準信号、マスタ情報ブロック(MIB)、物理ハイブリッドARQインジケータチャネル(PHICH)構成、システムフレーム番号、QPSK変調、セル固有スクランブリング、基本ネットワークデータなどを含み得る同期情報をブロードキャストする。302において、1つまたは複数のUEが、eNBがブロードキャストした同期情報を受信する。eNBがブロードキャストした同期情報は、直接eNBから、または別のデバイスから受信され得る。
【００４９】
トリガリングイベントが発生すると、UEとeNBとの間の通信が所望されていると決定される。トリガされた通信がMOになる場合、方法は選択肢Aを実行する。選択肢Aは303aから始まり、UEが、ランダムアクセスチャネル基準信号(RACH-RS)、UE ID、バッファステータス報告などを含み得る同期情報の少なくとも一部分を使用してチャープを送信する。実施形態では、eNBは、チャープが受信される時点で利用可能なネットワークリソースをもたない場合がある。たとえば、eNBは、UEがチャープを送信する時点で利用可能なULチャネルをもたない場合がある。そのような状況では、eNBは、eNBはデータを受信する用意があるが、現在のところ利用可能なリソースをもたないことを示すKAメッセージをUEに送信することによって、チャープに応答するオプションを有する(オプション303b)。ネットワークリソースが利用可能になると、eNBは304に進むことができる。
【００５０】
代替的に、トリガされた通信がMTになる場合、方法は選択肢Bを実行する。選択肢Bでは、UEは、ランダムアクセスチャネル基準信号(RACH-RS)、UE ID、バッファステータス報告などを含み得る同期情報の少なくとも一部分を使用してチャープを送信するオプションを有する。303dにおいて、eNBがキープアライブ(KA)をUEに送信する。(どちらの代替経路が取られたかに応じて)ステップ303bまたは303dの後、方法は304に移動する。
【００５１】
304において、チャープまたはKAに応答して、eNBが、限定はしないが、セルID、ULまたはDL割当て、タイミングアドバンス(TA)、変調およびコーディング方式(MCS)、チャネル状態情報(CSI)などのネットワーク情報を含み得る接続セットアップを作成および送信する。UEは、直接eNBから、または別のデバイスから接続セットアップを受信し得る。
【００５２】
305において、データペイロードは、割り当てられたULまたはDL上で送信される。MOの例では、UEは、305において、UL上でデータペイロード(たとえば、温度読取値)をeNBに送信する。MTの例では、eNBは、305において、DL上でデータペイロードをUEに送信する。
【００５３】
305において初期データペイロードが送信された後、UEおよびeNBは、追加のデータペイロードがUEとeNBとの間を行ったり来たりして通信され得るように、接続を維持することができる。UEおよびeNBが、ある時間期間の間データを互いに送信するのをやめると、306はUEをアイドル状態またはスタンバイモードに移行することができる。307において、別のトリガリングイベントが発生し、それにより、イベント駆動型アクセスおよび送信データ手順300のすべてのステップを再び繰り返させる。
【００５４】
図3のイベント駆動型アクセスおよびデータ送信手順は、イベントが発生するたびに、たとえば、データ転送が開始されるときに繰り返され得る。したがって、方法300は、従来のRAPと比較してより少ないステップを実行するが、この方法のステップは、ある時間期間(たとえば、分、時間、日など)を通して数回繰り返され得る。方法300のステップを実行することは、時間、バッテリー寿命、およびネットワークトラフィックを含む、かなりの量のリソースを消費し得る。適切な場合、定義された時間期間の間に図3のステップのうちの1つまたは複数がスキップされることを可能にする方法を提供することによって上述のリソースを節約することが望ましいであろう。
【００５５】
図4は、モバイル発信(MO)データ転送に有用な例示的なネットワーク構成可能なアクセスおよびデータ送信手順である。この手順は、一般に、アクセス手順の頻度を減らすように設計されるので、方法300のアクションのうちのいくつかがスキップされ得る。方法400は、2つの手順、すなわち、所定の時間期間の間に1回(たとえば、1時間に1回、1日に1回、1週間に1回など)実行されるアクセス手順400aと、各データ転送の開始時に実行されるデータ送信手順400bとに分割される。したがって、アクセス手順400aは、データ送信手順400bと比較してより低い頻度で実行される。さらに、データ送信手順400bによれば、複数のデータ送信は、所定の時間期間が満了するまで、アクセス手順400aの間に保存されたアクセスデータを使用および再利用して実施される。所定の時間期間が満了すると、保存されたアクセスデータがリフレッシュされることを可能にするために、アクセス手順400aが再び実行される。したがって、方法400は、その頻度を最小限に抑えることによって、アクセス手順400aのステップを実行することに関与する時間、バッテリー寿命、およびデータトラフィックの繰り返される消費を最小限に抑えるおよび/またはなくす。さらに、ネットワークは、UEがイベント駆動型アクセスおよびデータ送信手順300に従って動作するように構成されるべきか、ネットワーク構成可能なアクセスおよびデータ送信手順400に従って動作するように構成されるべきかを決定する。
【００５６】
401において、eNBが同期情報をブロードキャストする。同期情報は、限定はしないが、1次同期信号(PSS)、2次同期信号(SSS)、ダウンリンク基準信号、マスタ情報ブロック(MIB)、物理ハイブリッドARQインジケータチャネル(PHICH)構成、システムフレーム番号、QPSK変調、セル固有スクランブリング、基本ネットワークデータなどを含み得る。402において、1つまたは複数のUEが、eNBがブロードキャストした同期情報を受信する。eNBがブロードキャストした同期情報は、直接eNBから、または別のデバイスから受信され得る。
【００５７】
403において、UEは、UE ID、バッファステータス報告、ランダムアクセスチャネル基準信号(RACH-RS)などを含み得るチャープを送信することによって、アクセス手順400aを開始する。eNBは、直接UEから、または別のデバイスからのいずれかで、チャープを受信する。ネットワーク構成可能なアクセスおよびデータ送信手順400では、ネットワークは、いつアクセス手順400aが実行されるかと、アクセス手順400aが実行されるかどうかとを構成する。たとえば、ネットワークは、UEが電源投入すると、UEが新しいセルに入ると、UEが新しいゾーンに入ると、UEが新しいネットワークに入ると、および/または、ネットワークによって設定される所定の時間期間xの満了時に、アクセス手順400aを開始するようにUEを構成し得る。ネットワークが所定の時間期間を設定するために使用する方法について、図6を参照しながら以下で説明する。
【００５８】
実施形態では、eNBは、チャープが受信される時点で利用可能なネットワークリソースをもたない場合がある。たとえば、eNBは、UEがチャープを送信する時点で利用可能なULチャネルをもたない場合がある。そのような状況では、eNBは、eNBはデータを受信する用意があるが、現在のところ利用可能なリソースをもたないことを示すKAメッセージをUEに送信することによって、チャープに応答するオプションを有する(オプション403a)。ネットワークリソースが利用可能になると、eNBは404に進むことができ、eNBが接続セットアップを作成および送信する。
【００５９】
404において、チャープを受信したことに応答して、eNBは、限定はしないが、セルID、タイミングアドバンス(TA)、変調およびコーディング方式(MCS)、チャネル状態情報(CSI)、UL割当てなどのネットワーク情報を含み得る接続セットアップを作成および送信する。SIB情報もUEに送信され得る。実施形態では、SIB情報は、セルID、TA、MCS、CSIなどを含んだ送信に続く別個の送信において送信され得る。UEは、直接eNBから、または別のデバイスから接続セットアップを受信し得る。
【００６０】
405において、UEは将来の送信のためにアクセスデータを保存する。好ましくは、保存されたアクセスデータは、セルID、TA、MCS、SIB内のリソース構成などの、所定の時間期間(たとえば、1時間、1日、数日、数週間、数年など)の間に変化する可能性が低いシステム情報である。アップリンクおよびダウンリンク割当ては、所定の時間期間の間に変化する可能性があるので、アップリンクおよびダウンリンク割当ては、保存されたアクセスデータから省略される場合がある。ゾーン固有のリソースを割り振るネットワークにおいて動作するUEおよび/またはスモールデータを送信するUEなどのいくつかの実施形態では、405は保存されたアクセスデータからTAを除外することを選ぶことができる。これらの状況では、TAは後でデータを転送するために必要とされない場合があるので、TAは保存されたアクセスデータから省略される場合がある。ステップ403〜405は、UEのアクセス手順400aと呼ばれることがあり、アクセス手順400aの間に保存された情報は、データをeNBに送信するために後でUEによって使用され得る。
【００６１】
上記で説明したように、ネットワークは、いつアクセス手順400aが実行されるかと、アクセス手順400aが実行されるかどうかとを構成する。ネットワークが、所定の時間期間xの満了時に実行されるようにアクセス手順400aを構成した場合、406において、所定の時間期間が開始する。上記で説明したように、保存されたアクセスデータは、将来使うために保存され、所定の時間期間の間に変化する可能性が低い。したがって、所定の時間期間xは、保存されたアクセスデータの予想される寿命と一致するように設定される。たとえば、アクセスデータが1時間後に古くなると予想される場合、xは1時間以下に設定される。アクセスデータが1日後に古くなると予想される場合、xは1日以下に設定される。ネットワークは、xを任意の値になるように自由に構成でき、好ましくは、xは保存されたアクセスデータの予想される寿命に一致するように設定される。
【００６２】
406は、所定の時間期間が満了したかどうかを監視する。所定の時間期間の満了時に、方法は401に移動し、保存されたアクセスデータをリフレッシュするためにアクセス手順400aが繰り返される。所定の時間期間が満了する前に、UEは、限定はしないが、アイドル状態またはスタンバイモードへの移行を含む、任意の数の動作を実行し得る。
【００６３】
UEが実行し得る上述の動作の中で、1つまたは複数のデータ送信手順400bは、所定の時間期間の満了前に実行され得る。407において、UEがデータをネットワークに送信することを決定し、このことがデータ送信手順400bを開始する。データ送信手順400bは、いくつかの異なるタイプのデータを送信するために使用され得るが、スモールデータは、データ送信手順400bを介した送信に特に適している。スモールデータは、典型的なデータパケットよりもサイズが比較的小さいデータパケットである。たとえば、スモールデータは1〜300ビットに限定され得るが、典型的なデータパケットはサイズが300〜1000ビットにわたる場合がある。スモールデータは、従来のデータよりも比較的少ないビットを有するので、スモールデータは、比較的小さいペイロードおよび比較的小さいオーバーヘッドを含み得る。たとえば、スモールデータは、スモールデータペイロードおよびUE IDに限定され得る。スモールデータは、典型的なデータパケットよりも比較的小さいので、衝突およびデータ損失はそれほど心配ではない。したがって、スモールデータは、典型的なデータパケットとは異なって、安全に扱われ得る。さらに、スモールデータは、UEが送信することを所望するが、それに対する接続セットアップは所望されない、データパケットを伴い得る。たとえば、スモールデータは、eNBに報告されるようにスケジュールされるが、ACK/NACK応答以外のeNB応答が所望されない、UEの時間的制約のある読取値であり得る。より具体的な例では、UEは、1時間ごとに水道メーター読取値を送信するように構成され得るが、ACK/NACK以外に、水道メーター読取値に関するネットワークからの応答を所望しない。UEが応答を所望しないので、スモールデータが送信されるときにUEとeNBとの間の双方向接続は必要ではない。したがって、UEが、双方向接続、たとえば、音声呼に必要なまたはインターネットをブラウズするための双方向接続を確立する時間またはバッテリー寿命を費やすことなしに、スモールデータをeNBに送信することが望ましい。
【００６４】
データ送信手順400b、たとえば、ステップ407〜410は、UEとeNBとの間の双方向通信において送信されるデータの従来のアップリンクと比較して、より迅速かつ効率的にデータ(たとえば、スモールデータ)を送信する。実施形態では、データ送信手順400bは、アクセス手順400aよりもかなり頻繁に実行され得る。たとえば、UEは、(たとえば、15分間隔で、30分間隔で、1時間ごとに、など)間隔読取値を取るおよび/またはイベントに応答して(たとえば、ドアが開いたとき、照明がオンまたはオフされたとき、TVまたはラジオのチャンネルが変えられたとき)読取値を取り、データ送信手順400bを使用して読取値を報告するように構成され得るが、比較すると、アクセス手順400aは、延長時間期間(たとえば、1日、数日、1週間、数週間など)の満了後のみに実行される。
【００６５】
407において、UEがデータ送信を送信することを決定する。次いで、方法は、402に類似している408に移動する。408において、UEは、eNBがそのときにブロードキャストしている同期情報を受信する。同期情報は、限定はしないが、1次同期信号(PSS)、2次同期信号(SSS)、ダウンリンク基準信号、マスタ情報ブロック(MIB)、物理ハイブリッドARQインジケータチャネル(PHICH)構成、システムフレーム番号、QPSK変調、セル固有スクランブリング、基本ネットワークデータ、フレーム境界などを含み得る。
【００６６】
409において、データが送信される。UEは、現在の同期情報と保存されたアクセス情報の少なくとも一部分とを使用して、データペイロードを含むIチャープをeNBに送信する。好ましくは、Iチャープは、データペイロードとUE-IDとを含むスモールデータである。UEが、所定の時間期間が満了する前に別の送信を送信することを決定した場合、アクセス手順400aを繰り返すことなしにステップ407〜409が繰り返される。さらに、所定の時間期間が満了したと406が決定すると、方法は403に戻り、保存されたアクセスデータをリフレッシュするためにアクセス手順400aが繰り返される。
【００６７】
任意選択で、eNBは、Iチャープに応答して、ACK/NACKメッセージを生成および送信し得る。このオプションが行使される場合、NACKを受信すると、UEは、ACKが受信されるまで、NACK時間期間が満了するまで、および/またはしきい値数の試行が行われるまで、409を繰り返し得る。
【００６８】
説明したように、データ送信手順400bは、405の間に、以前に保存されたアクセスデータの一部または全部を使用して数回繰り返され得る。従来は、ランダムアクセス手順および双方向接続セットアップは、データ送信が所望されるたびに実行される。したがって、従来の手順は、1日を通して複数のランダムアクセス手順を実行する、かなりの時間、バッテリー寿命、およびデータトラフィックを消費する。方法400は、所定の時間期間の間に1回(たとえば、1時間に1回、1日に1回、1週間に1回など)そのアクセス手順400aを実行し、その所定の時間期間の間に実行されるデータ送信手順400bごとに、以前に実行されたアクセス手順400aから保存されたアクセスデータを再利用する。したがって、方法400は、その時間期間の間の時間、バッテリー寿命、およびデータトラフィックの繰り返される消費を最小限に抑えるおよび/または防ぐ。
【００６９】
図5は、アクセス手順500aの頻度を減らし、それにより、適切な場合にステップのうちのいくつかが省略されることを可能にするように設計された、モバイル着信(MT)データ転送に有用な例示的なネットワーク構成可能なアクセスおよびデータ送信手順である。方法500は、2つの手順、すなわち、所定の時間期間の間に1回(たとえば、1分に1回、1時間に1回、1日に1回、1週間に1回など)実行されるアクセス手順500aと、所定の時間期間が満了するまで、アクセス手順500aの間に保存されたアクセスデータを使用および再利用して複数のデータ送信が実施されるデータ送信手順500bとに分割される。所定の時間期間が満了すると、保存されたアクセスデータをリフレッシュするために、アクセス手順500aが再び実行される。したがって、方法500は、その頻度を最小限に抑えることによって、アクセス手順500aのステップに関与する時間、バッテリー寿命、およびデータトラフィックの繰り返される消費を最小限に抑えるおよび/またはなくす。さらに、ネットワークは、UEがイベント駆動型アクセスおよびデータ送信手順300に従って動作するように構成されるべきか、ネットワーク構成可能なアクセスおよびデータ送信手順500に従って動作するように構成されるべきかを決定する。
【００７０】
方法500において、アクセス手順500aは、アクセス手順400aにおいて開示したステップと同じステップを実行する。さらに、501において、方法500は、所定の時間期間が満了したかどうかを監視する。所定の時間期間の満了時に、方法はアクセス手順500aを繰り返す。所定の時間期間が満了する前に、UEは、限定はしないが、アイドル状態またはスタンバイモードへの移行を含む、任意の数の動作を実行し得る。
【００７１】
上述の動作の中で、所定の時間期間の満了前にUEが実行し得るのは、データ送信手順500bである。502において、eNBがデータをUEに送信することを決定し、このことがデータ送信手順500bを開始する。
【００７２】
503において、eNBは、ダウンリンク(DL)送信が間もなく送信されることをUEに警告するキープアライブ(KA)メッセージをUEに送信する。eNBは、503においてKAメッセージを送信する前に、チャープまたはKAの機会を待つことができる。504において、UEはDL送信をリッスンする。DL送信を受信すると、UEは、セルIDなどの、アクセス手順500aの間に保存されたアクセスデータの一部または全部を少なくとも使用して、DL送信を復号する。
【００７３】
データ送信手順500bは、アクセス手順500aの間に保存されたアクセスデータの少なくとも一部または全部を使用して、所定の時間期間の満了前に数回繰り返され得る。従来は、ランダムアクセス手順および双方向接続セットアップは、eNBがデータ送信を送信することを決定するたびに実行される。したがって、従来の手順は、1日を通して複数のランダムアクセス手順を実行する、かなりの時間、バッテリー寿命、およびデータトラフィックを消費する。方法500は、所定の時間期間の間に1回(たとえば、1分に1回、1時間に1回、1日に1回、1週間に1回など)そのアクセス手順500aを実行し、その所定の時間期間の間に実行されるデータ送信手順500bごとに、以前に実行されたアクセス手順500aから保存されたアクセスデータを再利用する。したがって、方法500は、その時間期間の間の時間、バッテリー寿命、およびデータトラフィックの繰り返される消費を最小限に抑えるおよび/または防ぐ。
【００７４】
図3〜図5は、データ送信のための様々な方法を示す。上述のように、ネットワークは、任意の特定の時間に、1つまたは複数の特定のUEが、イベント駆動型アクセスおよびデータ送信手順300に従って動作するように構成されるべきか、ネットワーク構成可能なアクセスおよびデータ送信手順400および500に従って動作するように構成されるべきかを決定する。図6は、方法600の例示的な流れ図を示し、ネットワークが、特定の時間に特定のUEにとってどの構成が適切かを決定し、次いで、その決定に基づいて、UEがモバイル発信(MO)データ送信を送信し、モバイル着信(MT)データ送信を受信する方法を構成する。
【００７５】
601において、UEが新しいワイヤレス通信ネットワークとの通信を始める。例では、UEは、電源投入されるか、またはさもなければ、異なる通信ネットワークによってカバーされるエリアに移ることがある。602において、方法は、UEがモバイルUEであるか、非モバイルUEであるかを決定する。UEが非モバイルUEであると決定された場合、方法は603に移動し、UEは図4および図5において開示した方法に従ってデータ送信を実行するように構成される。さらに、603は所定の時間期間xを設定する。UEは非モバイルデバイスであるので、アクセス手順400aおよび500aの保存されたアクセスデータは、長い寿命を有すると予想される。したがって、xは高い値になるように設定され、それにより、アクセス手順400aまたは500aが実行される回数を最小限に抑える。たとえば、xは24時間、48時間、1週間に1回など長く設定され得る。603において、ネットワークは、データ送信を送信するときにタイミングアドバンス(TA)および/またはMCSを無視するようにUEを構成するオプションを有する。所望される場合、ネットワークは、転送されるデータのタイプ次第でTAおよび/またはMCSを無視するようにUEを構成し得る(たとえば、スモールデータを送信するときにTAは無視され得る)。UEは、UEがサービングネットワークを離れ(604)、新しいネットワークに接続する(601)まで、この構成に留まる。
【００７６】
UEがモバイルUEであると602が決定した場合、方法は605に移動し、システムはネットワークリソースの割振りグラニュラリティを決定する。たとえば、いくつかのネットワークはセル固有のリソースを割り振り、他のネットワークはゾーン固有のリソースを割り振る。セル固有のリソースを割り振るネットワークでは、第1のセルの割り当てられたリソースは、第2のセルと通信するときに使用されない。たとえば、各セルはUEに異なるSIBを送信することになる。対照的に、ゾーン固有のリソースを割り振るネットワークでは、複数のセルがリソース割振りを共有する。したがって、ゾーン固有のリソースは、ゾーンに割り振られたリソースがゾーン内のいずれかまたは複数のセルと通信するためにUEによって使用され得るように、複数のセルによって共有される。たとえば、UEは、同じSIB情報を使用して第1のセルおよび第2のセルと通信することができる。
【００７７】
ネットワークがセル固有のリソースを割り振ると605が決定した場合、方法は606に移動し、UEは図3において開示した方法に従ってデータ送信を実行するように構成される。UEは、UEがサービングネットワークを離れ(604)、新しいネットワークに接続する(601)まで、この構成に留まる。
【００７８】
ネットワークがゾーン固有のリソースを割り振ると605が決定した場合、方法は607に移動し、UEは図4および図5において開示した方法に従ってデータ送信を実行するように構成される。さらに、607は所定の時間期間xを設定する。UEはモバイルデバイスであるので、アクセス手順400aおよび500aの保存されたアクセスデータは、非モバイルデバイスと比較してより短い寿命を有すると予想される。さらに、システムは、アクセス手順400aの所定の時間期間xを、アクセス手順500aの所定の時間期間xとは異なるように設定し得る。ここでも、システムは、保存されたアクセスデータの予想される寿命に従ってxを設定する。たとえば、システムはMTデータがより少ないレイテンシを有することを所望するので、アクセス手順400aの保存されたアクセスデータは、アクセス手順500aの保存されたアクセスデータの予想される寿命よりも長い予想される寿命を有し得る。したがって、実施形態では、アクセス手順400aのxは、1時間、12時間、18時間などの適度に高い値に設定され得るが、アクセス手順500aのxは、数秒、数分などに設定され得る。したがって、xは、レイテンシ期待値とアクセス手順400aまたは500aが実行される回数の最小化とのバランスをとる値に設定される。608において、ネットワークは、データ送信を送信するときにTAおよび/またはMCSを無視するようにUEを構成するオプションを有する。所望される場合、ネットワークは、転送されるデータのタイプ次第でTAおよび/またはMCSを無視するようにUEを構成し得る(たとえば、スモールデータを送信するときにTAは無視され得る)。UEは、UEがサービングゾーンを離れる(608)まで、この構成に留まる。UEがサービングゾーンを離れると、システムは、UEがサービングネットワークを離れたかどうかを決定する(609)。UEがサービングゾーンを離れた後にサービングネットワークに留まっている場合、システムは、図4および図5を実行し、新しいサービングゾーンのリソース割振りに照らしてxを設定するようにUEを構成する(607)。609において、UEがサービングネットワークを離れ、新しいネットワークに接続する(601)場合、システムは602に移動する。UEは、あるゾーンおよび/またはネットワークから別のゾーンおよび/またはネットワークに移動するときに、複数回構成および再構成され得る。
【００７９】
図6の代替実施形態では、UEは事前構成されてもよく、アクセス情報(たとえば、SIB)が事前構成され、UEに記憶される。UEが保存されたアクセスデータで事前構成される場合、UEがそこに記憶されたアクセスデータをすでに有するので、アクセス手順400aおよび500aはスキップされ得る。たとえば、UEは、UEが通信すると予想されるネットワークに適合するSIB情報で事前構成され得る。例示的なUEは、特定のロケーション(たとえば、住所)に設置されると予想されるサーモスタットである。その特定のロケーションにおいてそのUEにサービスするネットワークと通信するのに有用なアクセスデータは設置前に知られることになるので、サーモスタットは既知のアクセス情報(たとえば、SIB)で事前構成され得る。そのような実施形態では、サーモスタットは、アクセス手順400aおよび500aをスキップし、事前構成されたアクセスデータならびにデータ送信手順400bおよび500bを使用して単にデータを送信および受信することができる。
【００８０】
情報および信号が様々な異なる技術および技法のいずれかを使用して表され得ることを、当業者は理解されよう。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【００８１】
図3〜図6の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００８２】
本明細書の本開示に関して説明する様々な例示的な論理ブロック、モジュール、回路、およびアルゴリズムステップは、電子ハードウェア、コンピュータソフトウェア、または両方の組合せとして実装され得ることを、当業者はさらに諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装決定は、本開示の範囲からの逸脱を引き起こすものと解釈されるべきではない。当業者はまた、本明細書で説明する構成要素、方法、または相互作用の順序または組合せは例にすぎないこと、および、本開示の様々な態様の構成要素、方法、または相互作用は、本明細書で図示および説明する方法とは異なる方法において組み合わされるか、または実行される場合があることを容易に認識されよう。
【００８３】
本明細書の本開示に関して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、DSPとマイクロプロセッサの組合せ、複数のマイクロプロセッサ、DSPコアと連携する1つもしくは複数のマイクロプロセッサ、または任意の他のそのような構成として実装され得る。
【００８４】
本明細書の本開示に関して説明する方法またはアルゴリズムのステップは、直接ハードウェアにおいて、プロセッサによって実行されるソフトウェアモジュールにおいて、またはその2つの組合せにおいて具現化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野において知られている任意の他の形態の記憶媒体に存在する場合がある。例示的な記憶媒体は、プロセッサが記憶媒体から情報を読み取り、記憶媒体に情報を書き込むことができるように、プロセッサに結合される。代替として、記憶媒体は、プロセッサと一体であってもよい。プロセッサおよび記憶媒体は、ASICに存在する場合がある。ASICは、ユーザ端末に存在する場合がある。代替として、プロセッサおよび記憶媒体は、個別構成要素としてユーザ端末に存在する場合がある。
【００８５】
1つまたは複数の例示的な設計では、説明した機能は、ハードウェア、ソフトウェア、ファームウェア、またはそれらの任意の組合せにおいて実装され得る。ソフトウェアにおいて実装される場合、機能は、1つまたは複数の命令またはコードとしてコンピュータ可読媒体上に記憶されるか、またはコンピュータ可読媒体を介して送信され得る。コンピュータ可読媒体は、コンピュータ記憶媒体と、ある場所から別の場所へのコンピュータプログラムの転送を容易にする任意の媒体を含む通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、あるいは命令もしくはデータ構造の形態の所望のプログラムコード手段を搬送もしくは記憶するために使用され得、汎用もしくは専用コンピュータ、または汎用もしくは専用プロセッサによってアクセスされ得る任意の他の媒体を備えることができる。また、接続は、コンピュータ可読媒体と適切に呼ばれる場合がある。たとえば、ソフトウェアが、同軸ケーブル、光ファイバケーブル、ツイストペア、またはデジタル加入者回線(DSL)を使用して、ウェブサイト、サーバ、または他のリモートソースから送信される場合、同軸ケーブル、光ファイバケーブル、ツイストペア、またはDSLは、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)およびblu-rayディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれるべきである。
【００８６】
特許請求の範囲を含めて本明細書で使用する場合、「および/または」という用語は、2つ以上の項目のリストにおいて使用されるとき、列挙された項目のうちのいずれか1つが単独で採用されてもよく、または列挙された項目のうちの2つ以上の任意の組合せが採用されてもよいことを意味する。たとえば、組成物が構成要素A、B、および/またはCを含むものとして記載されている場合、組成物は、Aのみ、Bのみ、Cのみ、AとBの組合せ、AとCの組合せ、BとCの組合せ、またはAとBとCの組合せを含むことができる。また、特許請求の範囲を含めて本明細書で使用する場合、「のうちの少なくとも1つ」で始まる項目のリストにおいて使用される「または」は、たとえば、「A、B、またはCのうちの少なくとも1つ」のリストが、AまたはBまたはCまたはABまたはACまたはBCまたはABC(すなわち、AおよびBおよびC)、あるいはそれらの任意の組合せにおけるこれらのいずれかを意味するような、選言的リストを示す。
【００８７】
本開示の前述の説明は、いかなる当業者も本開示を作成または使用できるようにするために提供される。本開示の様々な変更は、当業者に容易に明らかになり、本明細書で定義する一般原理は、本開示の趣旨または範囲から逸脱することなく他の変形形態に適用され得る。したがって、本開示は、本明細書で説明する例および設計に限定されるものではなく、本明細書で開示する原理および新規の特徴と一致する最も広い範囲を与えられるべきである。
【符号の説明】
【００８８】
100  ワイヤレスネットワーク
105  発展型ノードB(eNB)、eNB、基地局/eNB
105a、105b、105x、105y、105z  eNB
105c  eNB、スモールセルeNB
110a、110b、110c  マクロセル
110x、110y、110z  スモールセル
115、115z  UE
125  通信リンク
130  コアネットワーク
212  データソース
220  送信プロセッサ
230  送信(TX)多入力多出力(MIMO)プロセッサ
232a〜232t  変調器(MOD)、変調器、復調器
234a〜234t  アンテナ
236  MIMO検出器
238  受信プロセッサ
239  データシンク
240  コントローラ/プロセッサ
242  メモリ
244  スケジューラ
252a〜252r  アンテナ
254a〜254r  復調器(DEMOD)、復調器、変調器
256  MIMO検出器
258  受信プロセッサ
260  データシンク
262  データソース
264  送信プロセッサ
266  TX MIMOプロセッサ
280  コントローラ/プロセッサ
282  メモリ
300  方法、イベント駆動型アクセスおよびデータ送信手順
400  方法、ネットワーク構成可能なアクセスおよびデータ送信手順
400a  アクセス手順
400b  データ送信手順
500  方法、ネットワーク構成可能なアクセスおよびデータ送信手順
500a  アクセス手順
500b  データ送信手順
600  方法
【図１】
2019126088.tif 000003
【図２】
2019126088.tif 000004
【図３】
2019126088.tif 000005
【図４】
2019126088.tif 000006
【図５】
2019126088.tif 000007
【図６】
2019126088.tif 000008
【外国語明細書】
2019126088000001.pdf